(57)【要約】  本発明はパイプ（２１０、１４６）内に機材（１００）を配置させる装置を提供する。装置は空洞部（２５０）を有した本体部（２４０）と、パイプ（２１０、１４６）とスライド式に係合するパイプ係合領域と、機材の少なくとも一部を受領し、機材（１００）を本体部（２４０）に対する所定位置に保持する機材保持部（２６０）とを備えている。また、この装置を利用して機材をパイプ内に配置する方法も提供される。【選択図】  図５
2011514488.tif 000002
【特許請求の範囲】
【請求項１】
パイプ内に機材を配置させる装置であって、
ａ）空洞部を有した本体部と、
ｂ）パイプとスライド式に係合するパイプ係合領域と、
ｃ）機材の少なくとも一部を受領し、前記本体部に対する所定位置に前記機材を保持する機材保持部と、
を含んでいることを特徴とする装置。
【請求項２】
機材保持部に受領されており、少なくともその一部が空洞部に延び入る機材をさらに含んでいることを特徴とする請求項１記載の装置。
【請求項３】
機材はスプレーヘッドを含んでいることを特徴とする請求項１または２記載の装置。
【請求項４】
パイプ空洞部を有するパイプにおける運用時に、パイプ係合領域は、空洞部の全部または一部がパイプ空洞部外に存在する第１形態と、空洞部の全部または一部がパイプ空洞部内に存在する第２形態との間でパイプ内をスライドすることができることを特徴とする請求項１から３のいずれかに記載の装置。
【請求項５】
第１形態では空洞部の全体がパイプ空洞部外に位置していることを特徴とする請求項４記載の装置。
【請求項６】
第２形態では空洞部の全体がパイプ空洞部内に位置していることを特徴とする請求項４または５記載の装置。
【請求項７】
パイプ内に機材を配置させる装置であって、
ａ）パイプと係合するパイプ係合部を有したハウジングと、
ｂ）該ハウジングとスライド式に係合する本体部と、
を含んでおり、前記本体部は空洞部を有しており、さらに、機材の少なくとも一部を受領し、前記本体部に対する所定位置に前記機材を保持する機材保持部を有していることを特徴とする装置。
【請求項８】
機材保持部に受領されており、少なくともその一部が空洞部に延び入る機材をさらに含んでいることを特徴とする請求項７記載の装置。
【請求項９】
機材はスプレーヘッドを含んでいることを特徴とする請求項７または８記載の装置。
【請求項１０】
本体部は、空洞部の全部または一部がハウジング空洞部外に存在する第１形態と、空洞部の全部または一部がハウジング空洞部内に存在する第２形態との間で空洞部に対してスライドすることができることを特徴とする請求項７から９のいずれかに記載の装置。
【請求項１１】
第１形態では空洞部の全体がハウジング空洞部外に位置していることを特徴とする請求項１０記載の装置。
【請求項１２】
第２形態では空洞部の全体がハウジング空洞部内に位置していることを特徴とする請求項１０または１１記載の装置。
【請求項１３】
パイプ空洞部を有したパイプ内に機材を配置させる方法であって、
ａ）請求項７から１２のいずれかに記載の装置を準備するステップと、
ｂ）該装置をパイプと係合させるステップと、
ｃ）機材を準備するステップと、
ｄ）該機材を機材保持部と係合させるステップと、
ｅ）ハウジングに対して本体部をスライドさせ、前記機材の少なくとも一部をハウジング空洞部内に導くステップと、
を含んでいることを特徴とする方法。
【請求項１４】
ハウジング空洞部は、装置とパイプとの係合によりパイプ空洞部と連続的になることを特徴とする請求項１３記載の方法。
【請求項１５】
明細書で解説され、図面で表されている装置。
【請求項１６】
明細書で解説され、図面で表されている方法。
【発明の詳細な説明】
【技術分野】
【０００１】
本発明はパイプ（管）の内面被覆（ライニング）に関し、ポリウレタン等の速乾性ライニング材料を使用した損傷ユーティリティパイプ（水道管、ガス管、等々）のライニング方法および装置を提供する。
【背景技術】
【０００２】
給水に使用されるパイプは一般的に地中に埋設されており、修繕や保守管理のためにアクセスすることは困難である。保守管理が必要な理由はいくつか挙げられる。経年劣化により、ユーティリティパイプは浸透性が増大し、洗浄作業はパイプ内面に損傷を及ぼす可能性がある。例えば、鋼材製および鋳造製の給水本管内部の腐食の結果としてパイプ内部に隆起部が形成される。このような隆起部は錆等である腐食生成物層で成り、時の経過と共に堆積し、金属滅減部一帯に塊状物や丘状物を形成する。これら隆起部はパイプの内部断面積を大きく減少させ、流量を減少させるため、パイプを通じた給水量を維持させるためにはポンプ圧を上昇させることが必要になる。パイプ内で回転鋼竿を使用したり、粗研磨技術を活用する隆起部除去のための様々な公知方法はパイプ内面を損傷させる虞がある。
【０００３】
損傷パイプの寿命を延ばすためには不浸透性材料でパイプ内面をライニング処理することがしばしば必要となる。パイプ内部を移動してパイプ内面にコーティング剤を噴射する小型運搬体（走行輪タイプまたは滑走タイプ）に搭載されたロータリスプレー器を利用することは知られている。例えば米国特許６６３２４７５および欧州特許０１４５２６６が存在する。
【０００４】
ここで問題となるのは、パイプライニングのためのそのような公知技術には限界があることである。すなわち、そのような運搬体は自身より細いパイプ内を通過できない。家庭用給水パイプは給水本管と個々の家庭への給水部との間で細くなっている。
【０００５】
ライニングを必要とするパイプの内部で引っ張られながらスプレーするロータリスプレーヘッドを利用することも知られている。ロータリスプレーヘッドは、複数の供給管で成る１本の高水圧導管に取り付けられる。これらの供給管は、ライニング剤、ライニング剤の流動性に保持する加熱油、およびスプレーヘッド駆動用の空気供給のための部品を供給する。
【０００６】
しかし、このような技術はスプレーヘッドが通過できる最低パイプ内径に関して限界が存在する。あるいは、パイプの内壁が不規則形状であったり、階段状になっていればこの技術は機能しない。
【発明の概要】
【発明が解決しようとする課題】
【０００７】
上記の問題はパイプ内、特に細いパイプ内へのスプレーヘッドまたはライニング材料搬送システムの導入に関する問題に留まらない。このような問題はパイプ内の状態をモニターする機器のパイプ内への導入にも関わる。
【課題を解決するための手段】
【０００８】
本発明はパイプ内に簡単で正確に機材を配置する技術を提供する。本技術は、パイプ内部の状態をモニターし、及び／又は（ライニング材料に限定しないが）種々な材料を搬送するためにパイプを通過する必要がある機材を通すには不都合な小径パイプの利用に有効である。パイプライニング処理のためにスプレーヘッドのごとき機材をパイプ内に配置する目的で使用するとき、本発明は効率的および均等にパイプライニング処理する技術を提供する。特に、細くて太さが一定しないパイプにおいて利用可能な技術を提供する。本発明の技術によって、スプレー装置がパイプ内に滞る問題が回避される。
【０００９】
従って、本発明の第１の実施態様によればパイプ内で機材を配置する装置が提供される。この装置は、内部に空洞部を有した本体部と、パイプとスライド式に係合するパイプ係合領域と、機材の少なくとも一部を受領し、本体部との位置関係で機材を保持する機材保持部とを含む。
【００１０】
このようにして機材は本体部内に確実に配置される。
【００１１】
１実施態様においては、この装置は、機材保持部内に受領され、空洞部内に少なくとも部分的に延び入る機材をさらに含む。
【００１２】
空洞部内に少なくとも一部が延び入ることで、機材は空洞部に対して確実に配置される。よって、機材が本体部に対して確実に保持されると、パイプに対する本体部の全スライド移動によって機材とパイプとの間の相対移動が提供される。
【００１３】
本発明の実施態様に従った機材は好適にはスプレーヘッドを含む。しかしながら、それら機材は、パイプ内に信頼性高く配置することが必要なセンサ（温度センサ、空気センサ、湿気センサ、等々）、サンプル採取装置（空気サンプル採取装置、流体サンプル採取装置、等々）、噴射装置（パイプ内に追加材料等を噴射）、パイプ内を検査する光ファイバカメラ装置等のカメラ、その他の機材であってもよいが、これらに限定されない。
【００１４】
パイプ空洞部を有するパイプを使用するとき、パイプ係合領域は、空洞部の全部または一部がパイプ空洞部外にある第１形状と、パイプ空洞部の全部または一部がパイプ空洞部内にある第２形状との間でパイプ内をスライドできる。
【００１５】
好適には、第１形状のときは空洞部の全部がパイプ空洞部外に存在し、及び／又は好適には、第２形状のときは空洞部の全部がパイプ空洞部内に存在する。
【００１６】
パイプに対して装置が設置されると、パイプに対する本体部のスライド移動によって、パイプを損壊することなく、パイプ空洞部への挿入、パイプ空洞部から取り出しが可能な機材保持部内に機材が保持される。
【００１７】
本発明の第２実施態様によれば、パイプ内に機材を配置する装置が提供される。この装置はパイプと係合（あるいは“接触”）するパイプ係合部を有したハウジングを含んでいる。このハウジングはハウジング空洞部を有する。装置はさらにハウジングとスライド係合する本体部を含んでいる。この本体部は空洞部を有しており、機材の少なくとも一部を受領して本体部に対する位置関係で機材を設置する機材保持部を有している。
【００１８】
よって、運用時に機材を配置するハウジングはパイプに対する相対位置に設置され、パイプと係合する。好適にはハウジングはパイプと液密状態で係合する。
【００１９】
この係合手段は、ハウジングをパイプに係合させるのに適したどのような係合手段であってもよい。例えば、螺合係合、摩擦係合、ボルト係合、等々であるが、これらに限定されない。
【００２０】
この装置は、機材保持部内に受領され、少なくともその一部が空洞部内に延び入る機材を含むことができる。
【００２１】
前述のように、これら機材は好適にはスプレーヘッドを含む。しかしながら機材はパイプ内での配置を必要とするどのような機材であってもよい。
【００２２】
１実施態様では、本体部は空洞部の全部または一部がハウジング空洞部外である第１形状と、空洞部の全部または一部がハウジング空洞部内である第２形状との間で空洞部に対してスライドできる。
【００２３】
好適には、第１形状のとき空洞部全体がハウジング空洞部外に位置し、及び／又は好適には、第２形状のとき空洞部全体がハウジング空洞部内に位置する。
【００２４】
好適には、ハウジング空洞部は、装置とパイプとの係合後にはパイプ空洞部と連続的なものとなる。これでパイプに対する機材の配置が信頼性高く調節できる。従って、機材をパイプ中央に設置する必要があるなら、機材保持部は、空洞部内で中央部に機材が設置されるように配置できる。よって、ハウジングに対して本体部がスライド式に移動でき、空洞部をハウジング空洞部と整合させると、ハウジング空洞部がパイプに対して連続的であるため機材はパイプ空洞部の中央に設置される。
【００２５】
本発明の別実施態様によれば、空洞部を有したパイプ内に機材を配置する方法が提供される。この方法は本発明の第２実施態様による装置を準備するステップと、この装置をパイプと係合させるステップと、機材を準備するステップと、機材を機材保持部と係合させるステップと、ハウジングに対して本体部を移動させ、機材の少なくとも一部をハウジング空洞部内に挿入するステップとを含む。
【００２６】
好適には、ハウジング空洞部は、パイプと装置の係合後にパイプ空洞部と連続的になる。
【００２７】
本発明の装置と方法は、限定はしないがポリウレタン（ＰＵ）等の急速硬化する２成分タイプライニング材等のライニング材料を小径パイプに適用する目的に特に好適である。小径パイプの場合には、ライニング材料をパイプ内面に適用するためにスプレーヘッドをパイプ内で引っ張るのは不可能であり、効果的でもない。さらに、パイプ内面を塗膜するためのライニング材を空気流内に送り込むために搬送管をパイプ内に通常方法で取り付けることは可能ではない。なぜなら、ライニング処理完了時に、パイプから搬送管を取り出すためにライニング材料の搬送を一端停止すると、ライニング材料の急速硬化によって搬送管の閉塞が発生するからである。よって、本発明の装置は、スプレーヘッドをパイプ空洞部に簡単に挿入させ、パイプを流れる空気流内にライニング材料を送り込ませ、さらに（スプレーヘッドにライニング材料を送り込みながら）パイプ空洞部からスプレーヘッドを簡単に取り出させ、スプレーヘッドの閉塞を防止するようにライニング材料の全面搬送が停止したときスプレーヘッドを通じてクリーニング液を送り込む。
【００２８】
さらに、ライニング材料の適切な混合物が空気流内に提供されていることを確認するため、スプレーヘッドがパイプ空洞部に挿入され、スプレーヘッドが空洞部から取り出される前にライニング材料のサンプルを採取することが可能である。これは、パイプに対して固定状態である従来の搬送管によっては可能ではない。
【００２９】
本発明の別実施態様によれば、導管内面をライニング処理する方法が提供される。この方法は、流体流内で拡散ライニング材料を運搬させるステップと、導管内にこの流体流を通過させるステップとを含む。拡散ライニング材料は導管内面上に徐々に堆積される。
【００３０】
有利なことに、本発明は多様な内径のパイプをライニング混合物により均等にライニング処理させることができる。特に、細いパイプを効果的にライニング処理する。この技術は１５ｍｍから５０ｍｍの内径を有したパイプのライニング処理に特に効果的である。
【００３１】
ライニング材料は加圧下で流体流内にノズルから噴射される。これでライニング材料の滴下物を流体流内に均等分散させる。この“分散”とは、本明細書内ではスプレー状態あるいは噴霧状態のことである。
【００３２】
この方法は、少なくとも２種類の成分を加圧下で混合することによりライニング材料を準備するステップをさらに含む。例えば、これら少なくとも２種類の成分とはポリウレタンと硬化剤である。
【００３３】
この方法は、ライニング処理された導管に加熱流体を通過させ、堆積されたライニング材料を硬化させるステップをさらに含む。
【００３４】
この流体流は加圧ガス、好適には加圧空気である。
【００３５】
本発明のさらに別な実施態様によれば、導管をライニング処理する装置が提供される。この装置は、導管内を流れる流体流を提供する流体流源と、ライニング材料を流体流内に分散させる分散手段とを含む。
【００３６】
好適には、この装置は、導管内面上に拡散ライニング材料が徐々に堆積するよう、この流体流内にライニング材料を噴射する圧力を調節する圧力調節装置、及び／又は流体流源の圧力を調節する圧力調節装置をさらに含む。
【００３７】
この導管はパイプでもよく、好適には給水パイプである。好適には、ライニング混合物は、効果的な接着のために内部洗浄直後のパイプに適用される。
【００３８】
１実施態様では、拡散手段は噴射システムであり、ライニング材料の成分を収容した少なくとも１体の容器と、各容器の出口点に接続された排出管とを含んでおり、それぞれの排出管は各容器から排出される成分の所定割合に応じた内径を有する。このシステムは、拡散管を通じて送られる成分を混合する混合管と、混合されたライニング材料を加圧分散噴射するノズルとをさらに含む。
【００３９】
１実施態様によれば、この装置は、ライニングプロセスの終了が観察できるように導管端部に取り付ける透明モニター管をさらに含む。
【００４０】
有利には、噴射システムは乾燥加圧ガス源によって従来式に加圧される。これは容器（圧力ポット）内での凝縮形成を回避する追加の利点である。
【００４１】
排出フィルタをライニング対象パイプの端部に接続することができる。あるいは好適にはモニター管の端部に接続することができる。
【００４２】
有利には、運搬空気源がライニング混合物の硬化に利用され、ライニング処理されたパイプに従来式に接続される。
【図面の簡単な説明】
【００４３】
【図１】本発明の第１実施例による噴射システムの概略図である。
【図２】ノズルを含んだ運搬空気パイプの断面図である。
【図３】代表的な運用構成による本発明の噴射システムの概略図である。
【図４】本発明に従ったスプレーヘッド構造体の別実施例の概略図である。
【図５】本発明に従った機材配置装置の別実施例の正面図である。
【図６】図５の実施例の側面図である。
【図７】図５の実施例の平面図である。
【発明を実施するための形態】
【００４４】
以下において、添付図面を利用して本発明のいくつかの実施例を例示として説明する。
【００４５】
図１は２体の加圧ポット１２、１４を有した本発明の１実施例による噴射システム１０の概略図である。それぞれの圧力ポット１２、１４は１側部にそれぞれ入口１６、１８と、その反対側にそれぞれ出口２０、２２を有している。組み込まれた圧力調節器２６を備えた乾燥ガス供給管２４は圧力ポット１２、１４の入口１６、１８のそれぞれと通流状態であり、排出管２８、３０は圧力ポット１２、１４の出口２０、２２とそれぞれ接続されている。排出管２８と３０は、圧力ポット１２、１４から排出される物質の割合に応じて異なる内径のものである。逆止弁３２、３４は、排出管２８、３０の両方が混合管３６に入る前方で、それぞれの排出管２８、３０内に一体的に設置されている。拡大図２は、混合管３６のその端部が平坦化された長円断面を有するノズル３８に取り付けられていることを示す。ノズル３８は運搬空気供給パイプ４０の壁に設けられた気密穴を通過する。
【００４６】
運用時に、乾燥圧縮ガス源４２は乾燥ガス供給管２４に乾燥ガスを供給し、乾燥ガスは圧力調節装置２６を通過し、ガス供給管での分岐に続いてそれぞれの圧力ポット１２、１４の入口１６、１８を通過する。この代表的実施例では、第１圧力ポット１２は硬化剤を収容し、第２圧力ポット１４はポリウレタンを収容している。圧力ポットに入る乾燥ガスの圧力で硬化剤とポリウレタンを圧力ポットからそれぞれの排出管２８、３０に排出させ、逆止弁３２、３４を通過させる。混合管３６は硬化剤とポリウレタンを均質に組み合わせる機能を担う。加圧下であり、圧力調節装置によって調節された混合物はノズル３８を通過する。平坦化長円形ノズルの出口はライニング混合物の扇状噴射を提供する。
【００４７】
高速空気流４４は運搬空気供給パイプ４０に沿って提供され、ノズル３８から噴射される混合物は運搬空気供給パイプ４０を通過する空気流によって搬送される。この運搬空気供給パイプの出口はライニング処理対象パイプに接続されている。よって、空気流によって運搬されるポリウレタン混合物はそのパイプに入り、パイプ内面上に均等塗膜物として堆積される。さらに、空気流により運搬されるポリウレタン混合物は塗膜された内面の先端に到達するまでパイプ内を通流する。そこで塗膜されたパイプ箇所と塗膜されていないパイプ箇所との間の内径の相違による内径の急拡張よって空気流は渦流となり、ポリウレタン混合物をパイプ内面上に堆積させる。このライニングプロセスは塗膜されたパイプと塗膜されていないパイプの異なる接着特性によってさらに助けられる。すなわちポリウレタン混合物は塗膜されていないパイプ内面に塗膜されたパイプ内面よりも効率よく接着する。このように、徐々に増加し、均等なポリウレタン混合物の塗膜物はパイプ内面に堆積される。
【００４８】
別実施態様では、高速空気流はライニング処理を必要とするパイプ内で提供される。ノズルはライニング混合物をそのパイプ内に直接的に供給するように設計できる。これで運搬空気供給パイプの必要性は排除できる。
【００４９】
１好適実施態様では、乾燥ガス源圧は７バールであり、運搬空気源圧は２バールである。一般的に、噴射システムの圧力は運搬空気源圧よりも３バールから５バール高い範囲に圧力調節装置によって調節される。乾燥ガス供給源は圧力ポット内での凝縮形成を回避するのに必要である。
【００５０】
上述したように、排出管は圧力ポットから排出される物質の比率によって異なる内径を有する。代表的実施態様では、ポリウレタンと硬化剤との比率４：１は８ｍｍの内径の第１排出管と２ｍｍの内径の第２排出管とで実現される。
【００５１】
専門家であれば、ライニング混合物は上記実施態様のポリウレタンと硬化剤とは異なるタイプであってもよいことを理解しよう。他の適した材料が単独または組み合わせで利用できる。よって、別実施態様は１体または複数体の圧力ポットを含むことができる。さらに、運搬空気流の温度はライニング処理設計による特定利用のための必要温度を提供するように調節される。特に運搬空気流の温度はライニング混合物タイプ、ライニング処理するパイプ長、周囲温度、等々に応じて変更できる。
【００５２】
好適には運搬空気源内の空気流速は秒速２０ｍから４０ｍである。
【００５３】
逆止弁は排出管を通って材料が逆流することを防止するように機能する。さらに、専門家には明らかであろうが、本発明の噴射システムの部品は図１のような方向性で配置される必要はない。なぜならガス圧が圧力ポット内容物を他の方向性で排出管と混合管を通過するように推進するからである。
【００５４】
本発明の１好適実施態様では、混合管は静的混合管であり、特にケニックス（登録商標）の静的混合管である。
【００５５】
図３は、給水本管４８と家庭用コック５０との間の埋設給水パイプ４６をライニング処理するように運用される本発明の噴射システム１０の概略図である。ライニング処理対象パイプの開始部４６へのアクセスが困難であるこの運用構成では、運搬空気供給パイプ４０とライニング対象パイプの開始部との間にフレキシブルな接続管５２を使用することが最も便利である。給水パイプ４６の端部で透明モニターパイプ５４がコック５０と排出フィルタ５６との間に取り付けられる。
【００５６】
運用時に、噴射システム１０から発生する空気流によって運搬されるライニング混合物はフレキシブル接続管５２を介してライニング処理対象パイプ４６の開始部に供給される。ライニング処理プロセスは、ライニング処理が透明モニターパイプ５４に到達したことが観察されるまで継続する。観察されたとききに噴射システム１０のスイッチが切られ、運搬空気供給パイプ４０内のライニング材料の噴射が停止される。１好適実施態様では、ライニング混合物の硬化を補助するために以下のステップが実行される。運搬空気供給源５８は空気流の供給を継続するが、例えば０．５バール未満の減圧下で実行し、熱風はライニング処理されたパイプ４６を通して送られ、ライニング混合物を硬化させる。典型的には、この処理には５分ほどを要する。最後に、全装置はライニング処理されたパイプの両端から外される。
【００５７】
図４は本発明に従ったスプレーヘッド１００の形態である噴射システムの別実施例を示す。圧力ポート１１２、１１３、１１４（図示せず）が提供される。これらは洗浄液１１２’、活性剤１１３’、および基材物質１１４’を、それぞれのポンプ（図示せず）による加圧下で排出管１２８、１３０を介して混合管１３６に供給する。選択弁（バルブ）１５０の存在により洗浄液１１２’と活性剤１１３’の両方の同時に搬送できないことが理解されよう。選択弁１５０は排出管１２８を介した搬送のために洗浄液１１２’あるいは活性剤１１３’を選択する。
【００５８】
排出管１３０を介した混合管への基材物質１１４’の供給はバルブ１３４によって調節される。同様に、排出管１２８を介した混合管１３６への洗浄液１１２’または活性剤１１３’の搬送はバルブ１３２によって調節される。
【００５９】
混合された活性剤と基材物質は急速硬化ポリウレタンライニング材料を提供する。このライニング材料は５秒から１０秒以内に硬化する。
【００６０】
スプレーヘッド１００にはスプレーヘッドシャトル２００内に設置されているノズル１３８が提供されている。スプレーヘッドシャトルは高速空気流１４４がそこを通過して提供される家庭用給水パイプ１４６と連続的に配置されている。
【００６１】
スプレーヘッドシャトル２００は図５から図７にかけてさらに詳細に示されている。
【００６２】
スプレーヘッドシャトル２００はハウジング空洞部２２０を提供するハウジング２１０を含む。スプレーヘッドシャトル２００にはパイプ係合領域２３０が提供されている。パイプ係合領域は運用時に、ハウジング空洞部２２０が家庭用給水パイプ１４６（図示せず）内の空洞部と連続的となるように従来式に家庭用給水パイプ１４６と液密状態で係合する。
【００６３】
スプレーヘッドシャトル２００には本体部２４０がさらに提供される。本体部はハウジング２１０内に部分的に受領され、図５の矢印方向にハウジング２１０に対してスライドできる。図５の矢印方向に移動すると、本体部２４０は矢印の反対方向に本体部２４０をスライドさせることにより当初位置に戻る（図５参照）。
【００６４】
本体部２４０は空洞部２５０を提供し、図４のスプレーヘッド１００のごとき機材が運用時に保持される機材保持部２６０が提供される。
【００６５】
運用にはシステムは以下のように構成される。
【００６６】
１．スプレーヘッドシャトル２００は、ハウジング２１０のパイプ係合部２３０を家庭用給水パイプ１４６と液密係合させ、ハウジング２１０の空洞部２２０が家庭用給水パイプ１４６と連続的となるようにすることで、ハウジング２１０は家庭用給水パイプ１４６と液密係合となるように家庭用給水パイプ１４６のブレーク部内に設置される。
【００６７】
２．選択された流量の調節された空気流が家庭用給水パイプ１４６を介して提供される。
【００６８】
３．スプレーヘッド１００はスプレーヘッドシャトル２００の本体部２４０の機材保持部２６０内に配置される。
【００６９】
４．スプレーヘッド１００のバルブ１３２と１３４は閉じられ、圧力ポート１１２、１１３、１１４には洗浄液１１２’、活性剤１１３’および基材物質１１４’がそれぞれ充填される。
【００７０】
５．圧力ポット１１２、１１３、１１４が充填されると、ポンプ（図示せず）が起動され、洗浄液１１２’、活性剤１１３’、基材物質１１４’がそれぞれ加圧される。バルブ１３２と１３４は閉じられ、洗浄液１１２’、活性剤１１３’および基材物質１１４’は圧力ポット１１２、１１３、１１４内で必要とされるまでリサイクルされる。
【００７１】
６．圧力ポットアクチュエータとヒータ（図示せず）にスイッチが入れられ、活性剤１１３’および基材物質１１４’の流動性は保たれ、家庭用給水パイプ１４６のライニング処理に利用される温度にまで加熱される。
【００７２】
７．基材物質１１４’はバルブ１３４を開くことで圧力ポット１１４でのリサイクリングから混合管１３６に方向転換される。その後、基材物質１１４’はスプレーヘッド１００のノズル１３８から放出される。放出された基材物質１１４’は容器に回収される。
【００７３】
８．バルブ１３２が開いて排出管１２８内への流入を可能にし、バルブ１５０は開いて排出管１２８を通じて混合管１３６へ選択された活性剤１１３’を流す。基材物質１１４’と活性剤１１３’は混合管１３６内で混合され、混合されたライニング塗料はスプレーヘッド１００のノズル１３８から放出される。この放出混合ライニング塗料は約９０秒間で回収され、一定混合物状態を達成させる。その後にサンプルが５秒から１０秒間で回収され、保存される。
【００７４】
９．スプレーヘッドシャトル２００の本体部２４０はハウジング２１０に対してスライド式に移動し、本体部２４０の空洞部２５０を、空洞部２５０とハウジング空洞部２２０が互いに整合状態となるまでハウジング２１０のハウジング空洞部２２０内に入れる。その後、スプレーヘッド１００はハウジング２００のハウジング空洞部２２０内に正確に配置される。スプレーヘッド１００のノズル１３８は家庭用給水パイプ１４６を通って空気流１４４内に正確に設置され、混合ライニング塗料は空気流１４４内に運搬され、前述のように家庭用給水パイプ１４６の内面上に塗布される。
【００７５】
１０．十分な量のライニング材料が家庭用給水パイプ１４６の必要長の塗膜のために放出されると、スプレーヘッドシャトル２００の本体部２４０はハウジング２１０に対して、図５で示す矢印と反対方向に本体部をスライドさせることによって移動する。これでハウジング空洞部２２０から空洞部２５０が持ち上げられ、家庭用給水パイプ１４４を介した空気流１４４からスプレーヘッド１００のノズル１３８を外す。放出された混合ライニング塗料は再度回収され、サンプルが採取されて保存される。
【００７６】
１１．バルブ１５０は排出管１２８を通って活性剤１１３’の通流を選択的に停止し、洗浄液１１２’を排出管２８から混合管１３６に通流するように作動し、起動されたクリーニングポンプ（図示せず）に空気を供給して混合管１３６とノズル１３８を基材物質１１４’と洗浄液１１２’のみでフラッシュ処理する。
【００７７】
１２．排出管１２８、混合管１３６およびノズル１３８から活性剤１１３’が完全に除去されたら、バルブ１２４は排出管１３０を通過する基材物質１１４’の流れを防止するように作動し、圧力ポット１４４はリサイクルモードに戻る。
【００７８】
１３．洗浄液１１２’は、混合管１３６とノズル１３８を通過し、それらが洗浄されるまでフラッシュ処理される。ノズル１３８からの放出液が透明になる様子は観察できる。
【００７９】
１４．バルブ１３２は閉じられ、洗浄液の混合管１３６への進入が防止される。圧力ポット１１４への空気供給（図示せず）は停止される。
【００８０】
専門家には明白であろうが、本発明はライニング処理プロセスで無駄となるライニング混合物量を最少化する利点も提供する。特に、乾燥ガス源と運搬空気源の圧力パラメータは、運搬空気流内のライニング混合物の液滴の適正な濃度が、パイプ壁に接着するライニング混合物の必要な厚みを提供するように調節される。このように、排出空気流で排出フィルタにまで運搬されるライニング混合物量を最低限度に保つ。
【００８１】
スプレーヘッドはパイプ内での設置が必要な他の機材と置換できる。例えば、センサー（温度センサー、空気センサー、湿気センサー、等々）、サンプル採取装置（空気サンプル採取装置、液体サンプル採取装置、等々）、噴射装置（添加物等をパイプ内に噴射）、パイプ内部を検査する光ファイバカメラ装置等のカメラ、その他のパイプ内で信頼できる位置に配置を必要とする機材と置換することができる。
【００８２】
本発明のスコープから逸脱せずに前述を改良および改変することは可能である。
【図１】
2011514488.tif 000003
【図２】
2011514488.tif 000004
【図３】
2011514488.tif 000005
【図４】
2011514488.tif 000006
【図５】
2011514488.tif 000007
【図６】
2011514488.tif 000008
【図７】
2011514488.tif 000009
【国際調査報告】
2011514488.tif 000010
2011514488.tif 000011
2011514488.tif 000012
2011514488.tif 000013